(57)【要約】【課題】霧の発生を防ぐとともにイオンを十分遠方に飛ばすことができる除電器を提供する。【解決手段】本発明の除電器の構成として、少なくとも１つの放電電極と、放電電極を収容するハウジングと、放電電極から発生されたイオンを外方に放出するためにハウジングに形成されたイオン放出口と、イオン放出口に向けてファンブローを供給して、イオンをイオン放出口を通してハウジング内から外方に噴射させるようにするためにハウジングに取付けられた少なくとも１つのファンと、イオン放出口から噴射されたイオンを遠方に運ぶためにイオンを含むファンブローに対してベンチュリー効果を生じさせる圧縮空気を供給する圧縮空気供給手段と、を設ける。【選択図】  図１
2007242568.tif 000002
【特許請求の範囲】
【請求項１】
少なくとも１つの放電電極と、
該放電電極を収容するハウジングと、
前記放電電極から発生されたイオンを外方に放出するために前記ハウジングに形成されたイオン放出口と、
前記イオン放出口に向けてファンブローを供給して、イオンを前記イオン放出口を通してハウジング内から外方に噴射させるようにするために前記ハウジングに取付けられた少なくとも１つのファンと、
前記イオン放出口から噴射されたイオンを遠方に運ぶためにイオンを含むファンブローに対してベンチュリー効果を生じさせる圧縮空気を供給する圧縮空気供給手段と、
を有することを特徴とする除電器。
【請求項２】
請求項１記載の除電器において、前記圧縮空気供給手段による圧縮空気の流路が前記放電電極とは電気的に分離されていることを特徴とする除電器。
【請求項３】
請求項１または２記載の除電器において、前記放電電極が複数ある場合、前記圧縮空気供給手段による圧縮空気の噴出口が前記放電電極の中心に形成されていることを特徴とする除電器。
【請求項４】
請求項1〜３のいずれか１つに記載の除電器において、前記ファンは前記ハウジングの側壁部分、または前記ハウジングのイオン放出口とは反対側の端壁部分、またはそれら両方の部分に配置されていることを特徴とする除電器。
【請求項５】
請求項1〜４のいずれか１つに記載の除電器において、前記ファンへの給気中に含まれる埃を除去するように前記ファンに関連して取付けられたフィルターを有することを特徴とする除電器。
【請求項６】
請求項1〜５のいずれか１つに記載の除電器において、前記ファンへの給気を遠方より行なうために前記ハウジングの外部に取付けられた送風パイプを有することを特徴とする除電器。
【請求項７】
請求項1〜６のいずれか１つに記載の除電器において、前記ハウジングの外部に送風パイプを設け、該送風パイプの給気側に前記ファンを取付けたことを特徴とする除電器。
【発明の詳細な説明】
【技術分野】
【０００１】
本発明は、静電気除去装置（除電器）に関する。
【背景技術】
【０００２】
霧の発生を防ぎ漏電を防止するためのエアーブローガン型除電器が特開２０００−３０６６９３号公報に開示されている。この公報の発明では、圧縮空気を用いるが、放電電極に向けられるものではなく、霧の発生を防止するために放電電極から発生してハウジングから外部に出たイオンに対して圧縮空気を給気して、イオンを遠方に飛ばすようにしている。
【０００３】
また、霧の発生を生じさせないファン付きバー型除電器が特開２００４−３４９０９２号公報に開示されている。この公報の発明では、霧の発生を防止するために圧縮空気を用いることなく、複数の放電電極を収納するハウジング内またはハウジング外にファンを設け、ファンからファンブローを放電電極に向けて給気するものである。これにより、霧の発生を防ぐとともに、放電電極から発生されたイオンを遠方に飛ばすものである。
【特許文献１】特開２０００−３０６６９３号公報
【特許文献２】特開２００４−３４９０９２号公報
【発明の開示】
【発明が解決しようとする課題】
【０００４】
しかし、前者の従来例では、ハウジングから外部に出たイオンに対して圧縮空気を給気して霧の発生を防ぎながらイオンを遠方に飛ばすものであるが、イオンを十分に遠方に飛ばすことができない問題があった。
【０００５】
また、後者の従来例では、圧縮空気でなくファンによるファンブローを用いてイオンを遠方に飛ばすものであるが、ファンブローは風力が弱く、やはりイオンを十分に遠方に飛ばすことができない問題があった。
【０００６】
したがって、本発明の目的は、霧の発生を防ぐとともにイオンを十分遠方に飛ばすことができる除電器を提供することにある。
【課題を解決するための手段】
【０００７】
前述の目的を達成するために、本発明は、少なくとも１つの放電電極と、該放電電極を収容するハウジングと、前記放電電極から発生されたイオンを外方に放出するために前記ハウジングに形成されたイオン放出口と、前記イオン放出口に向けてファンブローを供給して、イオンを前記イオン放出口を通してハウジング内から外方に噴射させるようにするために前記ハウジングに取付けられた少なくとも１つのファンと、前記イオン放出口から噴射されたイオンを遠方に運ぶためにイオンを含むファンブローに対してベンチュリー効果を生じさせる圧縮空気を供給する圧縮空気供給手段と、を有することを特徴とする除電器を採用するものである。
【発明の効果】
【０００８】
本発明によれば、霧の発生を防ぐとともにイオンを十分遠方に飛ばすことができる除電器が得られる。
【０００９】
霧の発生の防止により、放電針に給電される高電圧の漏電が防がれる。
【００１０】
また、ファンにより、イオン放出量を増やして除電能力を上げることができ、ファンによりハウジングの内圧が上がるので、外部に浮遊している埃等をイオン放出口から侵入することを防ぐことができる。
【００１１】
また、ファンに対してフィルターを設けて、ファンによる給気の際の外部からの埃等の侵入を防ぐことができる。
【発明を実施するための最良の形態】
【００１２】
本発明の除電器では、少なくとも１つの放電電極と、該放電電極を収容するハウジングと、前記放電電極から発生されたイオンを外方に放出するために前記ハウジングに形成されたイオン放出口と、前記イオン放出口に向けてファンブローを供給して、イオンを前記イオン放出口を通してハウジング内から外方に噴射させるようにするために前記ハウジングに取付けられた少なくとも１つのファンと、前記イオン放出口から噴射されたイオンを遠方に運ぶためにイオンを含むファンブローに対してベンチュリー効果を生じさせる圧縮空気を供給する圧縮空気供給手段とが設けられる。
【実施例】
【００１３】
次に、図面を参照して本発明の実施例の除電器を説明する。図１は、実施例１の除電器を説明するための図であり、このうち、図１ａは図１ｂの矢印に沿った除電器の断面図であり、図１ｂはイオン放出口側の側面図である。図２は実施例２の除電器を示す断面図であり、図３は実施例３の除電器を示す断面図であり、図４は実施例４の除電器を示す断面図であり、図５は実施例５の除電器を示す断面図であり、図６は実施例６の除電器を示す断面図であり、図７は実施例７の除電器を示す断面図であり、
（実施例１）
図１に示すように、実施例１の除電器は、角柱形のハウジング１を有する。ハウジング１の一方の端部部分１ａ（イオン放出口端部部分）には、保持体に設けられた複数（この実施例では円周方向に4個）の放電電極（放電針）４が放電電極４で発生したイオン（破断線で示す）をハウジング１の外方に向けるように設けられている。端部部分には円筒形の貫通孔が形成されており、放電電極４はその貫通孔内に配置されている。放電電極４には、任意の適切な電圧、例えば、直流電圧、交流電圧、または交互に切替えられるパルス状電圧等が印加される。
【００１４】
ハウジング１のイオン放出口端部部分１ａで、その突出中央部に圧縮空気ノズル１ｃが形成され、側部から圧縮空気ノズル１ｃに至る圧縮空気流路１ｂが形成されている。圧縮空気流路１ｂ、圧縮空気ノズル１ｃを通して圧縮空気を複数の放電電極の配置の中央で噴射させるようになっている。
【００１５】
他方の端部部分（イオン放出口端部部分とは反対側の端部部分）には、ファン２が内部に設けられている。ファン２の後方、すなわち、開放口側にはフィルター３が設けられている。矢印で示すように、ファン２によるファンブローにより外部からハウジング１の開放口に取り入れられたエア（空気）はフィルター３で埃等が除去され、反対側の端部に向けられ、放電電極の周囲を通り外部に噴射される。その際、イオンを含むファンブローに対して圧縮空気の噴射がベンチュリー効果として働き、ファンブローをより遠方に飛ばすことができる。すなわち、イオンをより遠方に飛ばすことができ、除電対象物の除電を増大させることができる。
【００１６】
なお、この実施例では、１つの圧縮空気ノズル１ｃを通して圧縮空気を複数の放電電極の配置の中央で噴射させるようになっているが、イオン放出口のそれぞれに対してその外側に圧縮空気ノズル１ｃを配置してもよい。
（実施例２）
図２に示すように、実施例２の除電器では、ハウジングの開放口端部に設けられたファン２とフィルター３に代えて、ハウジング１の側壁部分にファン２とファイルター３が設けられている。
（実施例３）
図３に示すように、実施例３の除電器では、ハウジングの開放口端部に設けられたファン２とフィルター３に加えて、ハウジング１の側壁部分に他のファン２とファイルター３が設けられている。
（実施例４）
図４に示すように、実施例４の除電器では、実施例１のフィルター３の送風パイプ５が設けられている。このため、除電器近傍、特に開放口端部近傍の埃の吸入を防止できる。
（実施例５）
図５に示すように、実施例５の除電器では、実施例２のフィルター３の送風パイプ５が設けられている。このため、除電器近傍、特に開放口端部近傍の埃の吸入を防止できる。
（実施例６）
図６に示すように、実施例６では、実施例4におけるファン２およびファイルター３と送風パイプ５の配置を逆にしたものである。
（実施例７）
図７に示すように、実施例７では、実施例５におけるファン２およびファイルター３と送風パイプ５の配置を逆にしたものである。
【図面の簡単な説明】
【００１７】
【図１】実施例１の除電器を説明するための図であり、このうち、図１ａは図１ｂの矢印に沿った除電器の断面図であり、図１ｂはイオン放出口側の側面図である。
【図２】実施例２の除電器を示す断面図である。
【図３】実施例３の除電器を示す断面図である。
【図４】実施例４の除電器を示す断面図である。
【図５】実施例５の除電器を示す断面図である。
【図６】実施例６の除電器を示す断面図である。
【図７】実施例７の除電器を示す断面図である。
【符号の説明】
【００１８】
１  ハウジング
１ｂ  圧縮空気流路
１ｃ  圧縮空気ノズル
２  ファン
３  フィルター
４  放電電極
５  送風パイプ
【図１】
2007242568.tif 000003
【図２】
2007242568.tif 000004
【図３】
2007242568.tif 000005
【図４】
2007242568.tif 000006
【図５】
2007242568.tif 000007
【図６】
2007242568.tif 000008
【図７】
2007242568.tif 000009